(57)【特許請求の範囲】
【請求項１】
被洗髪者の頭部を収めるシンクと、このシンクに収めた頭部に向けて洗浄水を噴射するノズルリンクと、前記シンクに収めた頭部の首元に向かって洗浄水を噴射する首元用ノズルリンクとを備えた自動洗髪機において、
一端が前記首元用ノズルリンクに接続され前記一端から上方へ向かって立ち上がる立ち上がり部を設け、
前記立ち上がり部の他端に、仰向け姿勢の被洗髪者の首を前記シンクの内側に臨ませた状態で被洗髪者の後頭部を支える頭部支持部を設け、
前記頭部支持部を、
前記立ち上がり部の他端で横方向に延びる軸を中心として、被洗髪者の後頭部を支持する位置と被洗髪者の首元を支持する位置との間を回転可能に構成し、
縦方向に延びる支持部材を、横方向に間隔をあけて設けた縦格子状のネットによって形成し、
被洗髪者の後頭部を支持する位置へ向かって回転した場合、被洗髪者の後頭部を支持する位置に至ったときに回転が制限されて当該位置において位置決めされて後方へ向かって延在すると共に、被洗髪者の首元を支持する位置へ向かって回転した場合、被洗髪者の首元を支持する位置に至ったときに回転が制限されて当該位置において位置決めされて前方へ向かって延在する構成としたことを特徴とする自動洗髪機。
【請求項２】
前記頭部支持部が被洗髪者の後頭部を支持するとき、前記首元用ノズルリンクから噴射される洗浄水を遮らない位置となるように前記頭部支持部を配置したことを特徴とする請求項１に記載の自動洗髪機。
【請求項３】
前記頭部支持部と、前記首元用ノズルリンクとを、前記シンクに収めた頭部の首元下方で連結したことを特徴とする請求項２に記載の自動洗髪機。
【発明の詳細な説明】
【技術分野】
【０００１】
本発明は、シンクに収めた頭部を自動で洗髪する自動洗髪機に関する。
【背景技術】
【０００２】
従来、被洗髪者の頭部を収めるシンクの内側に、頭部に向けて洗浄水を噴射するノズルリンクを備え、このノズルリンクによって被洗髪者の頭部や髪に洗浄水を噴射することにより自動で洗髪を行えるようにした自動洗髪機が知られている（例えば、特許文献１参照）。この種の自動洗髪機では、シンク内に後頭部を支える頭部支持部を設け、この頭部支持部によって後頭部を支えた状態で、ノズルリンクから頭部へ向けて洗浄水を噴射することにより、洗髪を行うものがある。
【先行技術文献】
【特許文献】
【０００３】
【特許文献１】特開平７−２３６５１１号公報
【発明の概要】
【発明が解決しようとする課題】
【０００４】
しかしながら、上述した自動洗髪機では、ノズルリンクを利用した洗髪のみならず、美容師等の人間が、直接、シンクに収めた被洗髪者の頭部の洗髪を行う場合がある。この場合、頭部支持部が人手による洗髪の邪魔となる場合があった。
本発明は、上述した事情に鑑みてなされたものであり、自動洗髪時に被洗髪者の頭部を支持できる状態を維持した上で、人手による洗髪をスムーズに行うことができる自動洗髪機を提供することを目的とする。
【課題を解決するための手段】
【０００５】
上記目的を達成するために、本発明は、被洗髪者の頭部を収めるシンクと、このシンクに収めた頭部に向けて洗浄水を噴射するノズルリンクと、前記シンクに収めた頭部の首元に向かって洗浄水を噴射する首元用ノズルリンクとを備えた自動洗髪機において、一端が前記首元用ノズルリンクに接続され前記一端から上方へ向かって立ち上がる立ち上がり部を設け、前記立ち上がり部の他端に、仰向け姿勢の被洗髪者の首を前記シンクの内側に臨ませた状態で被洗髪者の後頭部を支える頭部支持部を設け、前記頭部支持部を、前記立ち上がり部の他端で横方向に延びる軸を中心として、被洗髪者の後頭部を支持する位置と被洗髪者の首元を支持する位置との間を回転可能に構成し、縦方向に延びる支持部材を、横方向に間隔をあけて設けた縦格子状のネットによって形成し、被洗髪者の後頭部を支持する位置へ向かって回転した場合、被洗髪者の後頭部を支持する位置に至ったときに回転が制限されて当該位置において位置決めされて後方へ向かって延在すると共に、被洗髪者の首元を支持する位置へ向かって回転した場合、被洗髪者の首元を支持する位置に至ったときに回転が制限されて当該位置において位置決めされて前方へ向かって延在する構成としたことを特徴とする。
【０００８】
また、上記発明の自動洗髪機において、前記頭部支持部が被洗髪者の後頭部を支持するとき、前記首元用ノズルリンクから噴射される洗浄水を遮らない位置となるように前記頭部支持部を配置してもよい。
【０００９】
また、上記発明の自動洗髪機において、前記頭部支持部と、前記首元用ノズルリンクとを、前記シンクに収めた頭部の首元下方で連結してもよい。
【発明の効果】
【００１１】
本発明によれば、自動洗髪時に被洗髪者の頭部を支持できる状態を維持した上で、人間による洗髪をスムーズに行うことができるようになる。
【図面の簡単な説明】
【００１２】
【図１】本実施形態に係る自動洗髪機の斜視図である。
【図２】自動洗髪機を上から見た図である。
【図３】自動洗髪機の内部構成を示す概略断面図である。
【図４】図３のシンク部分の拡大図である。
【図５】自動洗髪機に使用する水の流れを示す水路図である。
【図６】頭部支持ネットを上から見た図である。
【図７】（Ａ）は接続部の分解斜視図であり、（Ｂ）は回転ボスの側面図である。
【図８】（Ａ）は頭部支持ネットが後頭部位置に位置している場合における接続部の側面図であり、（Ｂ）は頭部支持ネットが首元位置に位置している場合における接続部の側面図である。
【図９】頭部支持ネットの使用態様の一例を示す図である。
【発明を実施するための形態】
【００１３】
図１は自動洗髪機１の斜視図であり、図２は自動洗髪機１を上から見た図である。図３は自動洗髪機１の概略断面図である。図４は図１の自動洗髪機１においてシンク２部分の拡大図である。図５は自動洗髪機１の水の流れを概略的に示す水路図である。
【００１４】
図１〜図４に示すように、自動洗髪機１は、被洗髪者の頭部を収容するためのシンク２と、シンク２を保持するシンク保持台３と、シンク保持台３の前方に配置され、被洗髪者が座るための椅子４（図３）と、椅子４を保持する椅子保持台５（図３）とを備えている。
【００１５】
シンク２は、図１〜図４に示すように、その上面に開口を有する碗状の部材である。シンク２の前側には、仰向け姿勢の被洗髪者の首元を、シンク２の内側に臨ませた状態にして、被洗髪者の後頭部を支える頭部支持ネット７０（頭部支持部）が配置されている。また、シンク２の前側の壁部２Ａには、椅子４に座った状態で被洗髪者が仰向けで、頭部支持ネット７０に後頭部を載せた状態で、首を載せることができるネック台７が配置されている。シンク２の上面の開口は、カバー８により覆うことができる。カバー８は、その後端が連結部９（図３、図４）を介してシンク２の後端に連結されていて、連結部９を中心にして鉛直面内で回動可能となっている。洗髪時などには、カバー８を開いた状態で、椅子４に座っている被洗髪者の首をネック台７に載せた後、カバー８を閉じることにより、被洗髪者に頭部をシンク２内に収容することができる。
【００１６】
シンク２内には、被洗髪者の頭部および髪に向けて洗浄水（温水、シャンプー液が混入された温水、トリートメント液が混入された温水など）を噴射するための上ノズルリンク１１（ノズルリンク）及び下ノズルリンク１２（ノズルリンク）が配置されている。上ノズルリンク１１は、被洗髪者の頭部に沿うように、図示位置で上に凸の略円弧状に湾曲し、所定間隔でノズルを有する管状の部材であって、その左端部が回動可能に片持ち支持されており、被洗髪者の頭部に向かって洗浄水を噴射する。
下ノズルリンク１２は、被洗髪者の髪を囲うように、図示位置で左方に凸の略弓形状に湾曲し、所定間隔でノズルを有する管状の部材であって、その左端部が上ノズルリンク１１よりも下方で回転可能に片持ち支持されている。この下ノズルリンク１２は、後方に向かって洗浄水を噴射することにより、後方側に垂れ下がった被洗髪者の髪（想像線で示す。）を洗浄する。また、シンク２内には、仰向け姿勢の被洗髪者の首元に向けて洗浄水を噴射する首元用ノズルリンク８０が配置されている。
【００１７】
上下ノズルリンク１１、１２、および首元用ノズルリンク８０には、それぞれ複数のノズルが備えられていて、洗髪時には、上下ノズルリンク１１，１２、および首元用ノズルリンク８０内に送られてきた洗浄水が各ノズルから噴射される。上下ノズルリンク１１，１２は回動し、首元用ノズルリンク８０は固定である。各ノズルから洗浄水を噴射することで、被洗髪者の頭部および髪の全体を洗浄できる。シンク２内の後側上部には、ハンドシャワー１３が配置されている。オペレーター（美容院の従業員など）は、ハンドシャワー１３の右方に配置されたコック１４を回すことにより、ハンドシャワー１３から放水する水量を調節して、手動で洗髪できる。
【００１８】
自動洗髪機１で使用する水は、図５に示すように、機外の水道設備および給湯設備（図示せず）からミキシングバルブ１５および給水管１６を介して機内に供給される。ミキシングバルブ１５には、水道設備から水供給部１７を介して水が与えられるとともに、給湯設備から湯供給部１８を介して湯が与えられる。ミキシングバルブ１５は、水供給部１７および湯供給部１８から与えられる水および湯を混合し、温水にして給水管１６に送り出すためのものである。給水管１６内の途中部には、ミキシングバルブ１５から送り出される温水の温度を検知するためのサーミスター１９が配置されている。サーミスター１９の検知結果に基づいてモーター２０が駆動されることにより、ミキシングバルブ１５が開閉されて水と湯との混合割合が調整され、設定温度の温水が生成される。ミキシングバルブ１５は、モーター２０で調整される電動タイプである。モーター２０は、ＤＣモーターまたは直流電動機であり、ブラシなどを備えている。
【００１９】
また、シンク２の側方には、操作パネル６０（図３、図４）が設けられており、設定温度は、オペレーター（ユーザー）が操作パネル６０を操作することにより決定される。給水管１６は、途中部（サーミスター１９よりも下流側）からハンドシャワー用給水管２１と貯湯用給水管２２とに分岐している。ハンドシャワー用給水管２１は、コック１４によって開閉可能なハンドシャワー用バルブ２３を介してハンドシャワー１３に連通している。一方、貯湯用給水管２２は、給湯バルブとしての貯湯バルブ２４を介して貯湯タンク２５内に温水を供給することができる。
【００２０】
貯湯タンク２５の内部には、当該貯湯タンク２５に貯められている温水の水位を検知するための第１水位センサー２６および第２水位センサー２７が、上下方向に一定間隔を空けて配置されている。貯湯タンク２５内の温水が使用されて、所定の最低水位に達したことが第２水位センサー２７により検知された場合には、貯湯バルブ２４が開かれて、貯湯タンク２５内に温水が供給される。その後、貯湯タンク２５内の温水が所定の最高水位に達したことが第１水位センサー２６により検知されると、貯湯バルブ２４が閉じられて、温水の供給が停止する。このようにして、貯湯タンク２５内には、最低水位と最高水位との間で、常に温水が貯められた状態となっている。
【００２１】
貯湯タンク２５の上部（第１水位センサー２６よりも上方）には、第１水位センサー２６の故障などに起因して貯湯タンク２５内に最高水位以上の温水が供給された場合に、その余分な温水を貯湯タンクの外部に溢れ出させるための溢水口２８が形成されている。溢水口２８から溢れ出した温水は、オーバーフロータンク２９によって受けられ、このオーバーフロータンク２９に連通する排水管３０を通って機外に排出される。オーバーフロータンク２９内にはオーバーフローセンサー３１が配置され、たとえば排水管３０が詰まってオーバーフロータンク２９内の水位が最高水位に到達したことがオーバーフローセンサー３１によって検知された場合には、自動洗髪機１の運転が停止される。
【００２２】
貯湯タンク２５の最下部には、一端がメインポンプ３２に接続された吸込管３３の他端が接続されている。メインポンプ３２は、インバータ（図示せず）から交流電流が供給されることにより駆動され、吸込管３３を介して貯湯タンク２５内の温水を吸い込むものである。吸込管３３の途中には、シャンプー液が収容されたシャンプー容器３４に至るシャンプー供給管３５と、トリートメント液が収容されたトリートメント容器３６に至るトリートメント供給管３７とが接続されている。シャンプー供給管３５およびトリートメント供給管３７の途中部には、それぞれシャンプー用ポンプ３８およびトリートメント用ポンプ３９が備えられていて、シャンプー用ポンプ３８およびトリートメント用ポンプ３９の働きにより、吸込管３３内を通る温水に、シャンプー液およびトリートメント液の混入量を適度に調整することにより、メインポンプ３２には、そのとき使用すべき洗浄水が汲み込まれることとなる。
【００２３】
吸込管３３からメインポンプ３２内に吸い込まれた洗浄水は、４つの分路を有する送水管４０に送り出される。送水管４０内には、フィルター４１が設けられていて、その下流側の４つの分路には、上ノズルバルブ４２、下ノズルバルブ４３、首元用ノズルバルブ７４、及び、排水バルブ４４の４つのバルブが設けられている。上ノズルバルブ４２、下ノズルバルブ４３、首元用ノズルバルブ７４、及び、排水バルブ４４が設けられた４つの分路には、それぞれ、分岐路４６、４７、７５、４８が延設されている。上ノズルバルブ４２から延設された分岐路４６の終端は上ノズルリンク１１に接続され、下ノズルバルブ４３から延設された分岐路４７の終端は下ノズルリンク１２に接続され、首元用ノズルバルブ７４から延設された分岐路７５の終端は首元用ノズルリンク８０に接続されている。
【００２４】
シンク２の底面には、当該シンク２内に水を排出するための排水口５０が形成されていて、この排水口５０は、逆流を防止するための排水トラップ５１を介して排水管３０に連通している。これにより、シンク２の排水口５０から排出された水は、排水管３０を通って、機外に排水されるようになっている。排水バルブ４４から延設された分岐路４８の終端は、排水トラップ５１に接続されている。
【００２５】
図６は、頭部支持ネット７０および首元用ノズルリンク８０の関係を示す図である。図７は、接続部９３（後述）の分解斜視図である。
首元用ノズルリンク８０は、上述したように、シンク２に収めた頭部の首元に対して洗浄水を噴射するノズルリンクである。
首元用ノズルリンク８０は、図６に示すように、横方向（図６において矢印Ｙ１で示す方向）に延びる管状の部材であって、２つの隅部にブラケット８１，８１が溶接で固定され、このブラケット８１，８１を介してシンク２の前側の内壁に固定されている。首元用ノズルリンク８０の筒部８２は、被洗髪者の首元の形状に倣って下に凸に湾曲しており、上部の中央寄りには、所定の間隔をあけて、３つのノズル８３、８３、８３が取り付けられている。
【００２６】
図７（Ａ）に示すように、首元用ノズルリンク８０において、ブラケット８１の近傍には、上方へ向かって立ち上がった立ち上り部９０の一端が接続されている。立ち上り部９０は、図７（Ａ）に示すように、側面視Ｌ字形状の部材であり、所定の長さだけ上方へ向かって延出した後、後方へ向かって略直角に折り曲がり、さらに、後方へ向かって所定の長さだけ延出している。
立ち上り部９０の他端には、所定の範囲内で回動可能な状態で、立ち上り部９０に対して頭部支持ネット７０を接続するための接続部９３が設けられている。
【００２７】
頭部支持ネット７０は、図６に示すように、縦方向に延びる２本の外枠部１００が、所定の距離だけ間隔を開けて対向した状態で設けられている。この外枠部１００は、金属等の剛性の高い素材によって形成されている。この外枠部１００には、柔軟性があり、かつ、強度の高い部材によって形成されたネット部１０１が支持されている。このネット部１０１は、図６に示すように、２つの外枠部１００の一端１０２のそれぞれを結ぶ一端連結部１０３と、２つの外枠部１００の他端１０４のそれぞれを結ぶ他端連結部１０５とを備えている。そして、これら一端連結部１０３、他端連結部１０５、及び、２つの外枠部１００で囲まれる領域において、縦方向（図６の矢印Ｙ２が示す方向）に延びる支持部材１０６が所定の間隔を開けて縦格子状に複数設けられている。これら支持部材１０６は、その両端部が一端連結部１０３及び他端連結部１０５のそれぞれに接続されている。
【００２８】
この頭部支持ネット７０は、自動洗髪機１による自動洗髪時において、被洗髪者の後頭部を支持するネットである（図４、図５参照）。被洗髪者の頭部がシンク２に収められている間、被洗髪者の後頭部がこの頭部支持ネット７０によって支えられるため、被洗髪者に負担をかけることなく、シンク２内における適切な位置に頭部が延在した状態を維持することができる。
特に、本実施形態では、頭部支持ネット７０は、縦方向に延びる支持部材１０６が、横方向に間隔を開けて縦格子状に複数設けられて形成されている。一般に、人間の後頭部において、髪は、後頭部から首元へ向かう方向に向かって生えているため、頭部支持ネット７０を縦格子状とすることにより、ネットを網状としたり又は横格子状としたりした場合と比較して、支持部材１０６のそれぞれの間に形成された隙間から髪を垂らし易くなる。これにより、頭部支持ネット７０において髪が束になり、また、からまり、これらに起因して、後頭部に対する洗浄水の噴射が阻害される、といった事態が発生することを好適に防止できる。
図６及び図７に示すように、頭部支持ネット７０の外枠部１００のそれぞれには、横方向に沿って外側へ向かって延出する棒状のネット支持棒１０８が設けられており、このネット支持棒１０８の端部には、接続部９３が設けられている。
【００２９】
ここで、接続部９３について詳述する。
接続部９３は、立ち上り部９０の他端に溶接により強固に固定された回転ボス９４を備えている。この回転ボス９４には、回転ボス９４を横方向に貫通する貫通孔９５が形成されている。
この貫通孔９５は、図７（Ｂ）に示すように、その断面が、円を所定の位置で上下方向に切り落とした略Ｄ字状をしており、切り落とした部位に対応する位置には、回転規制部９６が形成されている。
一方で、頭部支持ネット７０から横方向へ向かって延びるネット支持棒１０８の端部には、図７（Ａ）に示すように、フランジ状の位置決めフランジ１１０が設けられており、この位置決めフランジ１１０のさらに外側には、回転受け部１１１が設けられている。
位置決めフランジ１１０は、図示は省略したが、回転ボス９４の内部において横方向外側への動きが回転規制部９６によって規制された状態で、回転ボス９４の内部に形成されたフランジ収納部（不図示）に嵌合する。この位置決めフランジ１１０がフランジ収納部に嵌合することにより、回転受け部１１１の中心軸と、回転ボス９４の中心軸とが、同一軸となった状態が維持され、かつ、回転ボス９４の内部における回転受け部１１１の横方向外側への動きが規制される。
また、回転受け部１１１は、所定の範囲内で中心軸Ｌ１（図７、図８）を中心として回転可能な状態で、回転ボス９４に形成された貫通孔９５に嵌合する。なお、回転ボス９４の貫通孔９５における回転に伴ってネット支持棒１０８が回転し、このネット支持棒１０８の回転に伴って、頭部支持ネット７０が回転する。
【００３０】
図８は、接続部９３の側面図であり、特に、（Ａ）は頭部支持ネット７０が後頭部位置Ｔ１（後述）に位置しているときの側面図であり、（Ｂ）は頭部支持ネット７０が首元位置Ｔ２（後述）に位置しているときの側面図である。
図８に示すように、回転受け部１１１は、回転ボス９４の貫通孔９５内で中心軸Ｌ１を中心として回転する部材であり、中心軸Ｌ１に対して所定の方向に偏って肉厚部１１２が設けられている。この肉厚部１１２の一側面には、後頭部位置時接触面１１３が形成され、他側面には、首元位置時接触面１１４が形成されている。
【００３１】
図８（Ａ）を参照し、回転受け部１１１が、回転ボス９４の貫通孔９５内において、中心軸Ｌ１を中心として、図８（Ａ）における時計回り（矢印Ｙ４に示す方向）へ回転すると、肉厚部１１２の後頭部位置時接触面１１３が回転規制部９６に接触し、貫通孔９５内における回転受け部１１１のそれ以上の回転が規制される。そして、本実施形態では、後頭部位置時接触面１１３が回転規制部９６に接触し、貫通孔９５における回転受け部１１１の回転が規制された状態に至ったときに、頭部支持ネット７０が後方へ向かって延在した状態となるよう、回転受け部１１１において肉厚部１１２が形成されている。以下の説明では、頭部支持ネット７０が後方へ向かって延在した状態（図８（Ａ）に示す状態）を、適宜、「頭部支持ネット７０が後頭部位置Ｔ１に位置している」と表現する。
この後頭部位置Ｔ１は、自動洗髪機１による自動洗髪時に、シンク２に収納された被洗髪者の後頭部を支持する位置である。図２、３、４に示すように、後頭部位置Ｔ１に頭部支持ネット７０が位置している場合、被洗髪者の後頭部に対応する位置に頭部支持ネット７０が延在し、頭部支持ネット７０に後頭部が載置され、頭部支持ネット７０により後頭部が支持される。
なお、後頭部位置Ｔ１に位置する頭部支持ネット７０に被洗髪者の後頭部が載置された場合、図８（Ａ）の矢印Ｙ６に示すように、頭部支持ネット７０に対し下方へ向かう力が加わり、これに伴い、頭部支持ネット７０、及び、この頭部支持ネット７０と連係して動く回転受け部１１１を、矢印Ｙ４方向へ回転させようとする力が発生することになるが、回転規制部９６により回転受け部１１１の矢印Ｙ４方向への回転が規制されるため、頭部支持ネット７０が後頭部位置Ｔ１に位置した状態が維持される。
【００３２】
さらに、図６に示すように、頭部支持ネット７０が後頭部位置Ｔ１に位置している場合、上面視において、首元用ノズルリンク８０に形成された３つのノズル８３、８３、８３と、頭部支持ネット７０とが重ならない状態となる。ここで、首元用ノズルリンク８０は、被洗髪者の首元に洗浄液を噴射するためのノズルリンクであり、ノズル８３から略真上へ向かって洗浄水が噴射される。そして、頭部支持ネット７０が後頭部位置Ｔ１に位置している場合、上面視において、首元用ノズルリンク８０に形成された３つのノズル８３、８３、８３と、頭部支持ネット７０とが重ならない状態となるため、首元用ノズルリンク８０から、被洗髪者の首元に、頭部支持ネット７０に阻害されることなく、確実に、洗浄水を噴射できる。
【００３３】
一方で、図８（Ｂ）を参照し、回転受け部１１１が、回転ボス９４の貫通孔９５内において、中心軸Ｌ１を中心として、図８（Ｂ）における反時計回り（矢印Ｙ５に示す方向）へ回転すると、肉厚部１１２の首元位置時接触面１１４が回転規制部９６に接触し、貫通孔９５内における回転受け部１１１のそれ以上の回転が規制される。そして、本実施形態では、首元位置時接触面１１４が回転規制部９６に接触し、貫通孔９５における回転受け部１１１の回転が規制された状態に至ったときに、頭部支持ネット７０が前方へ向かって延在した状態となるよう、回転受け部１１１において肉厚部１１２が形成されている。以下の説明では、頭部支持ネット７０が前方へ向かって延在した状態（図８（Ｂ）に示す状態）を、適宜、「頭部支持ネット７０が首元位置Ｔ２に位置している」と表現する。
【００３４】
首元位置Ｔ２は、自動洗髪機１による自動洗髪時ではなく、美容師等の人間が、シンク２に収めた被洗髪者の頭部を、直接、洗髪する際に被洗髪者の首元を支持する位置である。詳述すると、頭部支持ネット７０が後頭部位置Ｔ１している場合、頭部支持ネット７０が被洗髪者の後頭部を覆うこととなり、美容師等の人手による後頭部の洗髪を阻害することとなる。一方で、頭部支持ネット７０が首元位置Ｔ２に位置している場合は、頭部支持ネット７０により被洗髪者の後頭部が覆われることなく、頭部の髪が生えている部位のほとんど全てが露出した状態となる。このため、美容師等は、直接、被洗髪者の頭部を洗髪する際は、頭部支持ネット７０を回転させて、頭部支持ネット７０を首元位置Ｔ２に至らしめた上で、洗髪を実行する。これにより、スムーズ、かつ、良好な洗髪が実現される。
なお、頭部支持ネット７０が首元位置Ｔ２に位置している場合、被洗髪者の首元が支持された状態となり、後頭部が支持された場合と比較して、被洗髪者の負担が大きくなることが考えられる。しかしながら、美容師等が、直接、被洗髪者の頭部を洗髪する際、通常、手によって適切に頭部を支持しつつ、洗髪が行われる。このため、被洗髪者に対して過度の負担がかかることはない。
また、首元位置Ｔ２に位置する頭部支持ネット７０に被洗髪者の首元が載置された場合、図８（Ｂ）の矢印Ｙ７に示すように、頭部支持ネット７０に対し下方へ向かう力が加わり、これに伴い、頭部支持ネット７０、及び、この頭部支持ネット７０と連係して動く回転受け部１１１を矢印Ｙ５方向へ回転させようとする力が発生することになるが、回転規制部９６により回転受け部１１１の矢印Ｙ５方向への回転が規制されるため、頭部支持ネット７０が首元位置Ｔ２に位置した状態が維持される。
【００３５】
このように、本実施形態では、頭部支持ネット７０は、後頭部位置Ｔ１と首元位置Ｔ２との間を移動可能である。このため、自動洗髪中は頭部支持ネット７０を後頭部位置Ｔ１に位置させ、これにより、被洗髪者に負担を感じさせることなく、シンク２内で被洗髪者の頭部を支持し、一方、人間が直接洗髪する際は頭部支持ネット７０を首元位置Ｔ２に位置させ、これにより、洗髪をスムーズ、かつ、良好に行うようにする、といった使い方が可能になる。
特に、本実施形態では、頭部支持ネット７０を回動させる、という非常に簡易な作業により頭部支持ネット７０を後頭部位置Ｔ１又は首元位置Ｔ２へ位置させることができるため、作業性がよい。さらに、頭部支持ネット７０の位置を変更する場合、洗髪者に頭を上げてもらった状態で頭部支持ネット７０を回転すればよく、洗髪者の頭部をシンク２から一旦出す必要がないため、ユーザーの利便性、使用者の利便性がよい。
なお、図６及び図７（Ａ）に示すように、頭部支持ネット７０は、立ち上り部９０を介して、シンク２に収めた頭部の首元下方で連結された状態となる。このように、首元下方で連結したことで、左右の洗髪空間を確保できる。
【００３６】
次いで、図９を用いて、頭部支持ネット７０の使用の態様の一例について説明する。
自動洗髪機１による自動洗髪中は、図９（Ａ）に示すように、頭部支持ネット７０を後頭部位置Ｔ１に位置させる。これにより、自動洗髪が行われている間、頭部支持ネット７０によって被洗髪者の後頭部が支持され、被洗髪者の負担を軽減した上で、シンク２における適切な位置に頭部が延在した状態が維持される。
そして、自動洗髪機１による自動洗髪が終了すると、すすぎや、さらなる確実な洗浄、又は、洗髪者の依頼等により、美容師等の人間により、直接、被洗髪者の洗髪が行われる。その際、被洗髪者に頭を上げてもらった上で、頭部支持ネット７０を回動させ、後頭部位置Ｔ１から首元位置Ｔ２へ頭部支持ネット７０を移動する（図９（Ｂ））。これにより、被洗髪者の首元が頭部支持ネット７０に支持された状態で、被洗髪者の頭部の全域が、洗髪可能に露出する。そして、美容師等の人間により、スムーズかつ良好な洗髪が実行される。
【００３７】
以上説明したように、本実施形態に係る自動洗髪機１は、被洗髪者の頭部を収めるシンク２と、このシンク２に収めた頭部に向けて洗浄水を噴射する上ノズルリンク１１、下ノズルリンク１２とを備えている。そして、自動洗髪機１に、仰向け姿勢の被洗髪者の首を前記シンクの内側に臨ませた状態で被洗髪者の後頭部を支える頭部支持ネット７０を設けると共に、この頭部支持ネット７０を、被洗髪者の後頭部を支持する後頭部位置Ｔ１と被洗髪者の首元を支持する首元位置Ｔ２との間を移動可能に構成している。
これによれば、自動洗髪中は頭部支持ネット７０を後頭部位置Ｔ１に位置させ、これにより、被洗髪者に負担を感じさせることなく、シンク２内で被洗髪者の頭部を支持し、一方、人間が直接洗髪する際は頭部支持ネット７０を首元位置Ｔ２に位置させ、これにより、洗髪をスムーズ、かつ、良好に行うようにする、といった使い方が可能になる。
【００３８】
また、本実施形態では、頭部支持ネット７０を、横方向に延びる軸を中心として、後頭部位置Ｔ１と首元位置Ｔ２との間を回転可能に構成している。
これによれば、頭部支持ネット７０を回動させる、という非常に簡易な作業により頭部支持ネット７０を後頭部位置Ｔ１又は首元位置Ｔ２へ位置させることができるため、作業性がよい。
【００３９】
また、本実施形態では、頭部支持ネット７０を、後頭部位置Ｔ１へ向かって回転した場合、後頭部位置Ｔ１に至ったときに回転が制限されて当該位置において位置決めされると共に、首元位置Ｔ２へ向かって回転した場合、首元位置Ｔ２に至ったときに回転が制限されて当該位置において位置決めされる構成としている。
これによれば、頭部支持ネット７０を回動させる、という非常に簡易な作業により頭部支持ネット７０を後頭部位置Ｔ１又は首元位置Ｔ２へ位置させることができるため、作業性がよい。
【００４０】
また、本実施形態では、頭部支持ネット７０が後頭部位置Ｔ１に位置している場合、上面視において、首元用ノズルリンク８０に形成された３つのノズル８３、８３、８３と、頭部支持ネット７０とが重ならない状態となる。ここで、首元用ノズルリンク８０は、被洗髪者の首元に洗浄液を噴射するためのノズルリンクであり、ノズル８３から略真上へ向かって洗浄水が噴射される。そして、頭部支持ネット７０が後頭部位置Ｔ１に位置している場合、上面視において、首元用ノズルリンク８０に形成された３つのノズル８３、８３、８３と、頭部支持ネット７０とが重ならない状態となるため、首元用ノズルリンク８０から、被洗髪者の首元に、頭部支持ネット７０に阻害されることなく、確実に、洗浄水を噴射できる。
また、本実施形態では、頭部支持ネット７０と、首元用ノズルリンク８０とを、シンク２に収めた頭部の首元下方で連結している。
これによれば、首元下方で連結したことで、左右の洗髪空間を確保できる。
【００４１】
また、本実施形態では、頭部支持ネット７０を、縦方向に延びる支持部材１０６を、横方向に間隔をあけて設けた縦格子状のネットによって形成している。
一般に、人間の後頭部において、髪は、後頭部から首元へ向かう方向に向かって生えているため、頭部支持ネット７０を縦格子状とすることにより、網状としたり又は横格子状としたりした場合と比較して、支持部材１０６のそれぞれの間に形成された隙間から髪を垂らし易くなる。これにより、頭部支持ネット７０において髪が束になり、また、からまり、これらに起因して、後頭部に対する洗浄水の噴射が阻害される、といった事態が発生することを好適に防止できる。
【００４２】
なお、上述した実施の形態は、あくまでも本発明の一態様を示すものであり、本発明の範囲内で任意に変形および応用が可能である。
例えば、上述の実施形態では、自動洗髪機１は、上ノズルリンク１１と下ノズルリンク１２を備え、これらが協働する構成であったが、ノズルリンクの数や、形状は実施形態の例に限定されない。すなわち、シンク２内で頭部を支える自動洗髪機１に広く本発明を適用可能である。
【符号の説明】
【００４３】
１      自動洗髪機
２      シンク
Ｔ１    後頭部位置
Ｔ２    首元位置
１１    上ノズルリンク（ノズルリンク）
１２    下ノズルリンク（ノズルリンク）
７０    頭部支持ネット（頭部支持部）
８０    首元用ノズルリンク
【図１】
0005631616.tif 000002
【図２】
0005631616.tif 000003
【図３】
0005631616.tif 000004
【図４】
0005631616.tif 000005
【図５】
0005631616.tif 000006
【図６】
0005631616.tif 000007
【図７】
0005631616.tif 000008
【図８】
0005631616.tif 000009
【図９】
0005631616.tif 000010